(57)【要約】  【課題】エアフィルターに付着した塵埃を効率よく除去することができると共に、清掃体に塵埃が絡みつくことを防ぐことができる空気調和機の清掃装置及び空気調和機を提供する。【解決手段】空気調和機本体に設置された吸引装置と連通し、先端に吸引口１２有する吸引ノズル１０と、該吸引ノズル１０をエアフィルター上を移動させる移動手段１５とを有し、前記吸引ノズル１０は、前記吸引口１２の近傍に、回転自在な複数の回転清掃体Ａ、Ｂを有する。【選択図】図3
2008157574.tif 000002
【特許請求の範囲】
【請求項１】
空気調和機本体に設けられた吸込口と吹出口を結ぶ空気通路に配置された除塵用のエアフィルターに付着した塵埃を除去する空気調和機の清掃装置において、該清掃装置は、前記空気調和機本体に設置された吸引装置と連通し、先端に吸引口を有する吸引ノズルと、該吸引ノズルをエアフィルター上を移動させる移動手段とを有し、前記吸引ノズルは、前記吸引口の近傍に、回転自在な複数の回転清掃体を有することを特徴とする空気調和機の清掃装置。
【請求項２】
複数の回転清掃体は、少なくとも１つの回転清掃体の回転方向が他の回転清掃体の回転方向とは逆方向であることを特徴とする請求項１に記載の空気調和機の清掃装置。
【請求項３】
吸引ノズルは、回転清掃体に付着した塵埃を、該回転清掃体から分離させる櫛を備えてあることを特徴とする請求項１又は２に記載の空気調和機の清掃装置。
【請求項４】
請求項１から３のいずれか１項に記載の清掃装置を有する空気調和機。
【発明の詳細な説明】
【技術分野】
【０００１】
本発明は、空気調和機に取り付けられたエアフィルターの清掃を行う空気調和機の清掃装置と、それを用いた空気調和機に関するものである。
【背景技術】
【０００２】
従来の空気調和機には、吸込口と熱交換器との間に、空気調和機本体内部への塵埃侵入を防ぐためにエアフィルターが配置されており、空気調和機の運転に伴い吸込口から空気と共に侵入する塵埃を捉える機能を有している。このため、エアフィルターには捉えた塵埃が徐々に付着するとともに、目が徐々に詰まってしまい風量を低下させてしまうので、空気調和機本体から着脱可能に構成され、定期的にエアフィルター表面を電気掃除機等で吸引したり、洗浄したりしなければならなかった。
【０００３】
これに対し、エアフィルターの上流側表面に沿って移動することができる吸引口を有する吸引ノズルと、この吸引ノズルに連結された吸引装置を空気調和機本体に設けて、吸引口からエアフィルター表面に付着した塵埃を吸引することで、エアフィルターを取り外すことなくエアフィルターの自動清掃が行える構造が考案されている（例えば、特許文献１参照）。
【０００４】
【特許文献１】特開２００５−１４０４０５号公報
【発明の開示】
【発明が解決しようとする課題】
【０００５】
しかしながら、上記特許文献１に開示されたような従来の空気調和機においては、吸引口の開閉面積を絞ることで風量を落として、吸引圧力を高めている。このような吸引ノズルで塵埃を除去しようとすると、エアフィルター表面に浮いたような状態で乗っている綿埃等は容易に吸引できるが、吸引力のみでは、エアフィルターの網目に絡んだ塵埃や、油分を含む塵埃等を、清掃ブラシのように掻き出して剥離させることはできず、エアフィルターにこびりついた塵埃を確実に除去することは非常に困難であった。
【０００６】
本発明は上記点に鑑み、エアフィルターに付着した塵埃を効率よく除去することができると共に、清掃体に塵埃が絡みつくことを防ぐことができる空気調和機の清掃装置及び空気調和機を提供することを目的とする。
【課題を解決するための手段】
【０００７】
請求項１の発明は、空気調和機本体に設けられた吸込口と吹出口を結ぶ空気通路に配置された除塵用のエアフィルターに付着した塵埃を除去する空気調和機の清掃装置において、該清掃装置は、前記空気調和機本体に設置された吸引装置と連通し、先端に吸引口を有する吸引ノズルと、該吸引ノズルをエアフィルター上を移動させる移動手段とを有し、前記吸引ノズルは、前記吸引口の近傍に、回転自在な複数の回転清掃体を有することに特徴を有する。したがって、回転自在な複数の回転清掃体がエアフィルターの網目に付着した塵埃を表面に掻き出し、この表面に掻き出された塵埃を吸引口から吸引装置へ集塵することができる。
【０００８】
請求項２の発明は、請求項１の発明において、複数の回転清掃体は、少なくとも１つの回転清掃体の回転方向が他の回転清掃体の回転方向とは逆方向であることに特徴を有する。したがって、例えば、２つの回転清掃体の場合では、互いに回転方向が逆となることによって、エアフィルターから掻き出した塵埃を吸引口の中央又は周囲のどちらかに集めることができる。
【０００９】
請求項３の発明は、請求項１又は２の発明において、吸引ノズルは、回転清掃体に付着した塵埃を、該回転清掃体から分離させる櫛を備えてあることに特徴を有する。したがって、回転清掃体に付着したままの状態でエアフィルターに対する清掃効果が低下するのを防ぐことができる。
【００１０】
請求項４の発明は、請求項１から３のいずれか１項に記載の清掃装置を有する空気調和機に特徴を有する。したがって、エアフィルターからの塵埃の掻き出しと吸引とを同時に行うことができるので、従来と比較して清掃効果を向上させることができる空気調和機となる。
【発明の効果】
【００１１】
請求項１の発明では、エアフィルターの網目に付着した塵埃を掻き出すことができ、請求項２の発明では、塵埃を吸引口の中央又は周囲のどちらかに集めることができ、また、請求項３の発明では、エアフィルターに対する清掃効果が低下するのを防ぐことができる。さらに、請求項４の発明では、上記請求項１から３の構成を備えた清掃装置を有する空気調和機であることから、エアフィルターに付着した塵埃を効率よく除去することができると共に、回転清掃体に塵埃が絡みつくことを防ぐことができる空気調和機を提供できる。
【発明を実施するための最良の形態】
【００１２】
次に、本発明の実施形態を図面に基づいて説明する。図１は本発明の第１実施形態における空気調和機の回転清掃体を搭載した空気調和機の縦断面図であり、図２はカバーを取り外した状態の空気調和機の斜視図である。図１又は図２において、空気調和機本体１は、熱交換器４と、室内の空気を取り入れる吸込口２と、熱交換器４と吸込口２との間に配され、吸込口２から流入する空気中に含まれる塵埃を捕集するエアフィルター５と、このエアフィルター５の上流側に配されると共に、エアフィルター５で捕集された塵埃を除去する清掃装置７を有し、この清掃装置７は、駆動ベルト（図示せず）が内挿され、上下方向に配設された縦レール８と、この縦レール８を左右方向に移動させる横レール９、９と、縦レールに沿って駆動手段（図示せず）により上下方向に移動する吸引ノズル１０にて形成されてあり、室内の空気を吸込口２から吸引し、エアフィルター５、熱交換器４を通して吹出口３から熱交換された空気を室内に吹き出す送風ファン６とを備えている。吸引ノズル１０により除去された塵埃は、吸引ダクト１１を通じて吸引装置（図示せず）に捕集され、空気調和機の外部に排出される。
【００１３】
図３は図２におけるＡ−Ａ断面図である。この図に示すように、吸引ノズル１０には２つの回転清掃体Ａ、Ｂが内蔵されており、この回転清掃体Ａ、Ｂは、吸引ノズル１０の中央及び周囲に吸引口１２を有するようにし、且つその一部がエアフィルター５に接触する状態で設置されている。また、回転清掃体Ａ、Ｂは、図示しない電源から電線１４を通じて送電されてモーター１３が駆動することによって矢印方向に回転するようになっている。したがって、エアフィルター５に付着した塵埃は回転清掃体Ａ、Ｂによって掻き出された後、吸引口２より吸引されて吸引ダクト１１を通じて吸引装置に捕集されるのである。そして、前述したように、縦レール８が図面上、左右方向に移動する。また、駆動ベルト１５によって吸引ノズル１０は図面上、前後方向に移動する。したがって、吸引ノズル１０は、エアフィルター５の全ての箇所へ移動することが可能であり、エアフィルター全体に付着している塵埃を除去することができる。尚、吸引ノズル１０の内部には櫛１６、１６が設けられており、この櫛１６、１６は回転清掃体Ａ、Ｂに接触して、回転清掃体Ａ、Ｂの表面に付着した塵埃を分離して吸引ダクト１１を通じて吸引装置に捕集できるので、回転清掃体Ａ、Ｂによる清掃効果が低下することはない。また、吸引装置の吸引能力が上げられるのであれば、この吸引力を利用し、モーター１３に変えて、又はモーター１３と併用して、回転清掃体Ａ、Ｂを回転させるタービンブラシ方式を利用することも可能である。
【００１４】
図４は吸引ノズルを上方から見た斜視図である。この図において、モーター１３が矢印のように時計回りに回転すると、このモーター１３のギアと噛合っているギア１７Ｂは反時計回りに回転し、ギア１７Ｂと噛合っているギア１７Ａは時計回りに回転する。そして、ギア１７Ｂと噛合っている回転清掃体Ｂは時計回りに回転し、ギア１７Ａと噛合っている回転清掃体Ａは反時計回りに回転するのである。
【００１５】
次に、図５と表１を用いて回転清掃体の回転方向と吸引ノズルの移動方向との関係について説明する。図５（ａ）は、往路（図面上、吸引ノズル１０が右に移動する場合）及び復路（図面上、吸引ノズル１０が左に移動する場合）で、回転清掃体Ａが反時計回りに回転し、回転清掃体Ｂが時計回りに回転する場合である。図５（ｂ）は、往路及び復路で、回転清掃体Ａが反時計回りに回転し、回転清掃体Ｂも反時計回りに回転する場合である。図５（ｃ）は、往路及び復路で、回転清掃体Ａが時計回りに回転し、回転清掃体Ｂが反時計回りに回転する場合である。図５（ｄ）は、往路で、回転清掃体Ａが反時計回りに回転し、回転清掃体Ｂも反時計回りに回転する。また、復路で、回転清掃体Ａが時計回りに回転し、回転清掃体Ｂも時計回りに回転する場合である。ここで、吸引ノズル１０の進行方向に対して回転清掃体Ａ、Ｂが逆方向に回転する場合の方が順方向に回転する場合よりも清掃効果が高いと考えられるので、逆方向の場合の清掃効果を１とし、順方向の場合の清掃効果を０．５として、上記４つのパターンのトータルの効果を比較した結果を下記、表１に示す。
【００１６】
【表１】
2008157574.tif 000003
【００１７】
上記表１より、パターン（ａ）、（ｂ）、（ｃ）の清掃効果はいずれも同じであることがわかる。また、パターン（ｄ）が最も清掃効果が高いことがわかる。したがって、エアフィルター５の右端及び左端にセンサー等を設置して、吸引ノズル１０がエアフィルター５の右端又は左端に到達した時にモーター１３の回転が反転するような構成とすれば、パターン（ｄ）の効果を得ることは可能である。
【００１８】
尚、本発明の趣旨を逸脱しない範囲において、種々の実施形態をとることができることは言うまでもない。例えば、上記実施形態では２つの回転清掃体で説明しているが、これに限定されるものではなく、２つ以上の回転清掃体を有するものであれば、本発明を適用することができる。また、モーターにより複数の回転清掃体を回転させるギアの構成は様々な構成が可能であり、上記説明は、その一例を示すものである。
【産業上の利用可能性】
【００１９】
本発明の空気調和機の清掃装置及び空気調和機は主に室内の冷房、暖房、除湿等を行う空気調和機として、又は、この空気調和機のエアフィルターの清掃のために利用される。
【図面の簡単な説明】
【００２０】
【図１】本発明の第１実施形態における空気調和機の回転清掃体を搭載した空気調和機の縦断面図である。
【図２】カバーを取り外した状態の空気調和機の斜視図である。
【図３】図２のＡ−Ａ断面図である。
【図４】吸引ノズルを上方から見た斜視図である。
【図５】回転清掃体の回転方向と吸引ノズルの移動方向との関係についての説明図である。
【符号の説明】
【００２１】
１  空気調和機本体
２  吸込口
３  吹出口
４  熱交換器
５  エアフィルター
６  送風ファン
７  回転清掃体
８  縦レール
９  横レール
１０  吸引ノズル
１１  吸引ダクト
１２  吸引口
１３  モーター
１４  電線
１５  駆動ベルト
１６  櫛
１７Ａ、１７Ｂ  ギア
Ａ、Ｂ  回転清掃体
【図１】
2008157574.tif 000004
【図２】
2008157574.tif 000005
【図３】
2008157574.tif 000006
【図４】
2008157574.tif 000007
【図５】
2008157574.tif 000008